(57)【要約】【課題】家具を損傷させず、意匠性に優れ、設置が容易であり、コストを抑えることができるとともに、家具の転倒を防止できる家具転倒防止金具を提供する。【解決手段】本家具転倒防止金具１は、壁に固定される固定部３０と、固定部３０から室内側に突設された突出部３１とを有する固定片３と、突出部３１に固定される水平部４０と、水平部４０から垂直に突設された垂直部４１とを有する連結片４と、垂直部４１に固定される第１竪部５０と、第１竪部５０から垂直に突設された横長部５１と、横長部５１から第１竪部５０と同じ側に垂直に突設された第２竪部５２とを有し、冷蔵庫２の把手部２１を挟持する係止片５と、を備えるものである。【選択図】      図２
2007097766.tif 000002
【特許請求の範囲】
【請求項１】
背面に把手部を有する家具の転倒を防止する金具であって、
壁に固定される固定部と、該固定部から室内側に突設された突出部とを有する固定片と、
前記突出部に固定される水平部と、該水平部から垂直に突設された垂直部とを有する連結片と、
前記垂直部に固定される第１竪部と、該第１竪部から垂直に突設された横長部と、該横長部から前記第１竪部と同じ側に垂直に突設された第２竪部とを有し、前記把手部を挟持する係止片と、
を備えることを特徴とする家具転倒防止金具。
【請求項２】
前記突出部は、突出方向に長く形成されたボルト孔を有し、
前記水平部は、ボルト孔を有しており、
前記固定片と前記連結片とは、前記突出部のボルト孔と前記水平部のボルト孔とにおいてボルト固定されることを特徴とする請求項１記載の家具転倒防止金具。
【請求項３】
前記連結片の水平部の前記把手部側の面及び前記係止片の前記把手部側の面に、又は前記固定部の突出部の前記把手部側の面及び前記係止片の前記把手部側の面に弾性部材を設けたことを特徴とする請求項１又は２記載の家具転倒防止金具。
【発明の詳細な説明】
【技術分野】
【０００１】
本発明は、背面に運搬用に把手部が設けてある家具の転倒を防止する家具転倒防止金具に関する。
【背景技術】
【０００２】
阪神大震災以降、都市型の大規模な地震が発生する頻度が増加しており、防災意識が高まっている。そこで、従来から地震対策として冷蔵庫等の家具の転倒を防止する装置・金具等が提案されており、断面略Ｌ字状の固定金具とコーチボルトを使用して家具の転倒を防止する装置（例えば、特許文献１参照）や、冷蔵庫の背面に係止した帯状体を前方に引っ張って冷蔵庫を固定する冷蔵庫の転倒防止具（例えば、特許文献２参照）、家具の下方に配設される荷重受け部と、該荷重受け部に連結されて家具に沿って配設される連結部と、該連結部を家具に係止する係止手段とを備える家具類の転倒防止装置（例えば、特許文献３参照）がある。
【特許文献１】特開平１０−３２３２４９号公報
【特許文献２】特開平１０−３０８７５号公報
【特許文献３】特開平９−３１３２８２号公報
【発明の開示】
【発明が解決しようとする課題】
【０００３】
しかしながら、特許文献１の装置では、家具と壁面との固定に断面略Ｌ字状の固定金具を用いるが、コーチボルトを家具にねじ込んで固定金具を家具に固定するため、必然的に家具を損傷させていた。また、特許文献２の転倒防止具では、冷蔵庫設置位置の天井が冷蔵庫の天面よりも十分に高い場合、帯状体が冷蔵庫正面側から見えるため、意匠的に見映えのよいものではなく、意匠性を保つために天井を下げると、冷蔵庫の買い替え時に高さ寸法の制限を受けるという問題点があった。また、特許文献３の転倒防止装置では、装置の構造規模が大きいため、設置に手間がかかり、コストもかかるという問題点があった。
【０００４】
そこで、本発明は、冷蔵庫（一部の小型冷蔵庫を除く。）等の家具の背面に運搬用に把手部が設けてある点に着目するとともに、上記の課題に鑑みてなされたものであり、家具を損傷させず、意匠性に優れ、設置が容易であり、コストを抑えることができるとともに、家具の転倒を防止できる家具転倒防止金具を提供することを目的とする。
【課題を解決するための手段】
【０００５】
上記目的を達成するために、請求項１記載の家具転倒防止金具は、背面に把手部を有する家具の転倒を防止する金具であって、壁に固定される固定部と、該固定部から室内側に突設された突出部とを有する固定片と、前記突出部に固定される水平部と、該水平部から垂直に突設された垂直部とを有する連結片と、前記垂直部に固定される第１竪部と、該第１竪部から垂直に突設された横長部と、該横長部から前記第１竪部と同じ側に垂直に突設された第２竪部とを有し、前記把手部を挟持する係止片と、を備えることを特徴としている。
【０００６】
請求項２記載の家具転倒防止金具は、請求項１記載の家具転倒防止金具において、前記突出部は、突出方向に長く形成されたボルト孔を有し、前記水平部は、ボルト孔を有しており、前記固定片と前記連結片とは、前記突出部のボルト孔と前記水平部のボルト孔とにおいてボルト固定されることを特徴としている。
【０００７】
請求項３記載の家具転倒防止金具は、請求項１又は２記載の家具転倒防止金具において、前記連結片の水平部の前記把手部側の面及び前記係止片の前記把手部側の面に、又は前記固定部の突出部の前記把手部側の面及び前記係止片の前記把手部側の面に弾性部材を設けたことを特徴としている。
【発明の効果】
【０００８】
本発明の請求項１の家具転倒防止金具によれば、壁に固定される固定部と、該固定部から室内側に突設された突出部とを有する固定片と、前記突出部に固定される水平部と、該水平部から垂直に突設された垂直部とを有する連結片と、前記垂直部に固定される第１竪部と、該第１竪部から垂直に突設された横長部と、該横長部から前記第１竪部と同じ側に垂直に突設された第２竪部とを有し、前記把手部を挟持する係止片と、を備えるため、家具の背面に設けられた把手部を固定片、連結片、及び係止片の３つの部材を主体として固定でき、家具を損傷させず、意匠性に優れ、設置が容易であり、コストを抑えることができるとともに、家具の転倒を防止できる。
【０００９】
請求項２の家具転倒防止金具によれば、請求項１記載の家具転倒防止金具の効果に加えて、突出部は、突出方向に長く形成されたボルト孔を有し、水平部は、ボルト孔を有しており、固定片と連結片とは、突出部のボルト孔と水平部のボルト孔とにおいてボルト固定されるため、固定する家具の壁に対する水平位置を調整できる。
【００１０】
請求項３の家具転倒防止金具によれば、請求項１又は２記載の家具転倒防止金具の効果に加えて、連結片の前記把手部側の面及び前記係止片の前記把手部側の面に、又は前記固定部の突出部の前記把手部側の面及び前記係止片の前記把手部側の面に弾性部材を設けたため、把手部に密着して固定できるとともに、把手部の損傷を防止できる。
【発明を実施するための最良の形態】
【００１１】
以下、本発明の実施の形態に係る家具転倒防止金具について図面に基づいて説明する。
図１は、本発明の実施の形態に係る家具転倒防止金具１により固定された冷蔵庫２の概略構成を示す側面図であり、図２は、図１のＡ部の拡大図である。家具転倒防止金具１は、図示するように、固定片３、連結片４、係止片５、及び弾性部材６を主体に構成される。また、冷蔵庫２は、冷蔵庫本体２０の背面上部に把手部２１を備えるとともに、その下方に放熱部２２を備えている。
【００１２】
固定片３は、図２及び図３に示すように、断面略Ｌ字状に折り曲げ加工された鋼板からなり、壁に固定される固定部３０と、該固定部３０から室内側に垂直に突設された突出部３１を有している。固定部３０には、図３に示すように、ねじやくぎ等の締着具７を挿通するための挿通孔３２が設けられている。この挿通孔３２は、固定部３０の長手方向に長く形成されており、固定片３を壁に固定する位置を調整しやすくなされている。突出部３１は、図３に示すように、ボルト８、ナット９、座金１０等によりボルト固定するためのボルト孔３３を有しており、このボルト孔３３は、冷蔵庫２を設置する際に冷蔵庫２の壁に対する水平位置の調整を行いやすくするために、突出方向に長く形成されている。また、突出部３１の長さＸに対する固定部３０の長さＹは、約１．５〜２倍（Ｘ：Ｙ＝１：１．５〜２）程度が好ましい。これにより、固定部３０と突出部３１の位置関係を入れ替えて、突出部３１を壁に固定して該突出部３１を固定部とし、突出部３１よりも長い固定部３０を壁から突出させて該固定部３０を突出部とすることにより、冷蔵庫２の壁に対する水平位置の調整幅をより大きくできる。この場合、固定部３０の挿通孔３２がボルト固定するためのボルト孔として機能し、突出部３１のボルト孔３３が締着具７を挿通するための挿通孔として機能する。
【００１３】
連結片４は、図２及び図３に示すように、断面略Ｌ字状に折り曲げ加工された鋼板からなり、固定片３の突出部３１にボルト固定される水平部４０と、該水平部４０から垂直に突設された垂直部４１を有している。水平部４０の長さＸは、連結片４と固定片５を固定した際に固定片５よりも水平方向に、例えば、約５ｃｍ程度突出する程度であり、また、前記固定片３の突出部３１の長さＸと略同程度である。また、水平部４０は、図３に示すように、連結片４と固定片５を固定した際に固定片５よりも水平方向に突出する部分に、突出部３１とボルト固定されるためのボルト孔４２を有している。このボルト孔４２は、冷蔵庫２を設置する際に位置の調整を行いやすくするために、長手方向に長く形成されている。垂直部４１は、水平部４０と同様に、ボルト固定するためのボルト孔４３を有しており、このボルト孔４３は、冷蔵庫２の把手部２１の高さに対応するために、垂直部４１の長手方向に長く形成されている。
【００１４】
係止片５は、図２及び図３に示すように、折り曲げ加工された鋼板からなり、連結片４の垂直部４１にボルト固定される第１竪部５０と、該第１竪部５０の下方端部から垂直に突設された横長部５１と、該横長部５１の先端から第１竪部５０と同じ側に垂直に突設された第２竪部５２とを有しており、これら第１竪部５０、横長部５１、及び第２竪部５２により冷蔵庫２の把手部２１を挟持する。第１竪部５０には、図３に示すように、垂直部４１とボルト固定されるためのボルト孔５３が設けられている。横長部５１は、把手部２１の幅よりも十分に長く形成されている。第２竪部５２は、地震時においても把手部２１を確実に係止できるような長さを有している。
【００１５】
弾性部材６は、図２に示すように、連結片４の水平部４０の把手部２１側の面及び係止片５の把手部２１側の面に設けられるゴム等の弾性部材であり、図示するように、連結片４の水平部４０の下面と、第１竪部５０、横長部５１、及び第２竪部５２の内側面に設けられ、第１竪片部５０のボルト孔５３に挿通されたボルト８の把手部２１側にも設けられる。この弾性体６により、家具転倒防止金具１と把手部２１との「あそび」を少なくして密着させることができ、地震時の振動に対しても衝撃を吸収して把手部２１の損傷を防止できる。
【００１６】
以上の構成の家具転倒防止金具１により背面に把手部２１を有する冷蔵庫２を固定するには、まず、図２に示すように、係止片５の第１竪部５０が把手部２１の正面側になるようにして把手部２１を下方から係止片５の第１竪部５０、横長部５１、及び第２竪部５２により挟持するとともに、連結片４の水平部４０により把手部２１の天端を押えて係止片５の第１竪部５０と連結片４の垂直部４１をボルト固定する。また、冷蔵庫２の高さに合わせて固定片３の固定部３０を締着具７により壁に固定するが、このとき、壁に壁下地補強材１１を設けておき、該壁下地補強材１１に固定部３０を固定するようにすると、より確実に家具の転倒を防止できる。そして、冷蔵庫２の放熱部２２と壁とのクリアランスを必要量確保しながら冷蔵庫２を配置し、固定片３の突出部３１と連結片４の水平部４０とをボルト８、ナット９、座金１０によりボルト固定して緊結する。このように、固定片３、連結片４、及び係止片５の３つの部材を主体として家具を固定するため、例えば、冷蔵庫２の場合、種類によって把手部２１や放熱部２２の出幅等が異なっていても容易に対応できる。また、冷蔵庫２の正面側から家具転倒防止金具１が見えず、意匠性においても優れている。
【００１７】
冷蔵庫２と壁面のクリアランスは、例えば、冷蔵庫２を壁側に極力押し込んだ場合、図４（ａ）に示すように、連結片４の水平部４０の固定片５よりも水平方向に突出した長さと略同程度となる。この場合、固定片３の突出部３１の把手部２１側の面及び係止片５の把手部２１側の面に弾性部材６を設ける。また、冷蔵庫２を壁から極力離す場合は、図４（ｂ）に示すように、固定片３の固定部３０と突出部３１の位置関係を入れ替えて、突出部３１を壁に固定して該突出部３１を固定部とし、突出部３１よりも長い固定部３０を壁から突出させて該固定部３０を突出部として冷蔵庫２を固定することにより、冷蔵庫２と壁面のクリアランスが最大となる。
【００１８】
以上の説明より明らかなように、本発明の実施の形態に係る家具転倒防止金具１によれば、冷蔵庫２の背面に設けられた把手部２１を固定片３、連結片４、及び係止片５の３つの部材を主体として固定でき、冷蔵庫２を損傷させず、意匠性に優れ、設置が容易であり、コストを抑えることができるとともに、家具の転倒を防止できる。また、固定する冷蔵庫２の壁に対する水平位置を調整できる。さらに、家具転倒防止金具１と把手部２１が接する部分に弾性部材６を設けたため、把手部２１に密着して固定できるとともに、地震時の振動に対しても衝撃を吸収して把手部２１の損傷を防止できる。
【００１９】
なお、本発明は上記実施形態に限定されるものではなく、本発明の要旨の範囲内で種々の変形実施が可能である。例えば、本実施の形態では、背面上部に把手部２１を有した冷蔵庫２を固定する場合について説明したが、背面上部に把手部を有したタンスや食器棚等であってもよい。また、固定片３、連結片４、及び係止片５は、鋼板からなるものとしたが、所定の強度を有する硬質の樹脂からなるものであってもよい。また、固定片３と連結片４は、ボルト８、ナット９、座金１０によりボルト固定されるものとしたが、他の固定方法を用いてもよい。
【産業上の利用可能性】
【００２０】
本発明は、背面に把手部を有する家具の転倒を防止する場合に利用可能である。
【図面の簡単な説明】
【００２１】
【図１】本発明の実施の形態に係る家具転倒防止金具により固定された冷蔵庫の概略構成を示す側面図である。
【図２】図１のＡ部の拡大図である。
【図３】本発明の実施の形態に係る家具転倒防止金具の概略構成を示す斜視図である。
【図４】本発明の実施の形態に係る家具転倒防止金具の使用状況を示す断面図である。
【符号の説明】
【００２２】
１    家具転倒防止金具
２    冷蔵庫
２１    把手部
３    固定片
３０    固定部
３１    突出部
３３    ボルト孔
４    連結片
４０    水平部
４１    垂直部
４２    ボルト孔
５    係止片
５０    第１竪部
５１    横長部
５２    第２竪部
６    弾性部材
【図１】
2007097766.tif 000003
【図２】
2007097766.tif 000004
【図３】
2007097766.tif 000005
【図４】
2007097766.tif 000006